(57)【要約】【課題】会議において、端末装置を使用するユーザに適切な音声を提供する。【解決手段】会議に参加する複数のユーザのそれぞれが使用する複数の端末装置と、複数の端末装置とネットワークを介して接続して、会議での複数のユーザによる討議を支援する情報処理装置とを備える会議システムであって、情報処理装置は、会議において集音された音声を表す複数のチャネルの音声データを収集する音声収集部と、複数のチャネルの音声データのうち、指定されたチャネルの音声データを端末装置に送信する音声提供部と、を有する。【選択図】図１
2018032911.tif 000002
【特許請求の範囲】
【請求項１】
ユーザが使用する端末装置とネットワークを介して接続して、会議での複数のユーザによる討議を支援する情報処理装置であって、
前記会議において集音された音声を表す複数のチャネルの音声データを収集する音声収集部と、
前記複数のチャネルの音声データのうち、指定されたチャネルの音声データを前記端末装置に送信する音声提供部と、
を備える情報処理装置。
【請求項２】
前記端末装置は、音声を集音して音声データを生成し、
前記音声収集部は、前記端末装置により生成された音声データを収集する
請求項１に記載の情報処理装置。
【請求項３】
前記会議に先立って、前記会議に参加するそれぞれのユーザについて、所定の場所において前記会議に参加する直接参加、前記所定の場所とは異なる場所において前記端末装置を利用して前記会議に参加する遠隔参加、または、前記会議における一部の議題について前記所定の場所とは異なる場所において前記端末装置を利用して前記会議に参加する準参加の何れの参加形態により、前記会議に参加するかを登録する会議処理部をさらに備え、
前記音声提供部は、前記遠隔参加または前記準参加により前記会議に参加するユーザが使用する前記端末装置に対して、指定されたチャネルの音声データを送信する
請求項２に記載の情報処理装置。
【請求項４】
前記端末装置に、チャネルを指定させるための操作インターフェイスを含む画面を表示させる端末画面提供部をさらに備え、
前記音声提供部は、前記画面により指定されたチャネルの音声データを、対応する前記端末装置に送信する
請求項１から３の何れか１項に記載の情報処理装置。
【請求項５】
前記端末画面提供部は、前記会議に参加している他のユーザを指定するための操作インターフェイスを含む前記画面を、前記端末装置に表示させ、
前記音声提供部は、前記画面により指定されたユーザが使用する前記端末装置により生成されたチャネルの音声データを、対応する前記端末装置に送信する
請求項４に記載の情報処理装置。
【請求項６】
前記端末画面提供部は、前記複数のチャネルの音声データのそれぞれの音量を表す操作インターフェイスを含む前記画面を、前記会議に参加するユーザが使用する前記端末装置に表示させる
請求項４に記載の情報処理装置。
【請求項７】
前記音声収集部は、互いに異なる方向の音声を集音する複数のマイクロホンを含むマイクロホンアレイから取得した複数のチャネルの音声データに基づき、所定方向からの音声を表す１以上のチャネルの音声データをさらに生成し、
前記音声提供部は、前記音声収集部が生成した所定方向からの音声を表す１以上のチャネルの音声データ、および、前記音声収集部が受信した前記複数のチャネルの音声データのうち、指定されたチャネルの音声データを前記端末装置に送信する
請求項１から６の何れか１項に記載の情報処理装置。
【請求項８】
前記音声提供部は、前記音声収集部が収集した前記複数のチャネルの音声データのうち、２以上のチャネルの音声データが指定された場合、指定された２以上のチャネルの音声データを合成した１つのチャネルの音声データを前記端末装置に送信する
請求項１から７の何れか１項に記載の情報処理装置。
【請求項９】
会議に参加する複数のユーザのそれぞれが使用する複数の端末装置と、
前記複数の端末装置とネットワークを介して接続して、前記会議での複数のユーザによる討議を支援する情報処理装置と
を備える会議システムであって、
前記情報処理装置は、
前記会議において集音された音声を表す複数のチャネルの音声データを収集する音声収集部と、
前記複数のチャネルの音声データのうち、指定されたチャネルの音声データを前記端末装置に送信する音声提供部と、
を有する会議システム。
【請求項１０】
会議に参加する複数のユーザのそれぞれが使用する複数の端末装置とネットワークを介して接続して、前記会議での複数のユーザによる討議を支援する情報処理装置において実行される方法であって、
前記情報処理装置が、
前記会議において集音された音声を表す複数のチャネルの音声データを収集し、
収集した前記複数のチャネルの音声データのうち、指定されたチャネルの音声データを前記端末装置に送信する
処理を実行する方法。
【請求項１１】
情報処理装置を、ユーザが使用する端末装置とネットワークを介して接続して、会議での複数のユーザによる討議を支援する装置として機能させるためのプログラムであって、
前記情報処理装置を、
前記会議において集音された音声を表す複数のチャネルの音声データを収集する音声収集部と、
前記複数のチャネルの音声データのうち、指定されたチャネルの音声データを前記端末装置に送信する音声提供部と、
して機能させるプログラム。
【発明の詳細な説明】
【技術分野】
【０００１】
本発明は、情報処理装置、会議システム、方法およびプログラムに関する。
【背景技術】
【０００２】
それぞれがユーザにより使用される複数の端末装置とネットワークを介して接続して、複数のユーザにより行われる会議を支援する会議支援装置が知られている。また、会議室に設置されたインタラクティブホワイトボードに表示された画像を、ネットワークを介して遠隔地のユーザの端末装置に送信する会議支援装置も知られている。このような会議支援装置によれば、遠隔地のユーザにも会議室のインタラクティブホワイトボードに表示された内容を提供することができるので、討議をスムーズに進行させることができる。
【０００３】
特許文献１には、会議に使用されるホワイトボード装置と、ホワイトボード装置に描画された描画データを記憶する情報処理装置とを備えるシステムが記載されている。このシステムでは、ホワイトボード装置と情報処理装置との間で描画データを連係して管理することができる。
【発明の概要】
【発明が解決しようとする課題】
【０００４】
ところで、会議では、多数のユーザが発言をする。このため、遠隔地のユーザは、１つのマイクロホンにより集音された音声を聞いていただけでは、討議の内容が理解できない場合がある。従って、会議システムは、多数のユーザが発言をした場合であっても、遠隔地のユーザに確実に音声を聞き取らせる必要がある。
【０００５】
本発明は、上記に鑑みてなされたものであって、会議において、端末装置を使用するユーザに適切な音声を提供することができる情報処理装置、会議システム、方法およびプログラムを提供することを目的とする。
【課題を解決するための手段】
【０００６】
上述した課題を解決し、目的を達成するために、本発明は、ユーザが使用する端末装置とネットワークを介して接続して、会議での複数のユーザによる討議を支援する情報処理装置であって、前記会議において集音された音声を表す複数のチャネルの音声データを収集する音声収集部と、前記複数のチャネルの音声データのうち、指定されたチャネルの音声データを前記端末装置に送信する音声提供部と、を備える。
【発明の効果】
【０００７】
本発明によれば、会議において、端末装置を使用するユーザに適切な音声を提供することができる、という効果を奏する。
【図面の簡単な説明】
【０００８】
【図１】図１は、第１実施形態に係る会議システムを示す図である。
【図２】図２は、会議システムの機能構成を示す図である。
【図３】図３は、第１実施形態に係る音声収集部および音声提供部の機能構成を示す図である。
【図４】図４は、会議の開始時の会議システムの処理の流れを示すシーケンス図である。
【図５】図５は、機器用会議画面の一例を示す図である。
【図６】図６は、端末用会議画面の一例を示す図である。
【図７】図７は、チャネル時における会議支援装置の処理の流れを示すフローチャートである。
【図８】図８は、端末用会議画面の第１変形例を示す図である。
【図９】図９は、端末用会議画面の第２変形例を示す図である。
【図１０】図１０は、端末用会議画面の第３変形例を示す図である。
【図１１】図１１は、第２実施形態に係る会議システムを示す図である。
【図１２】図１２は、第２実施形態に係る音声収集部および音声提供部の機能構成を示す図である。
【図１３】図１３は、第３実施形態に係る音声収集部および音声提供部の機能構成を示す図である。
【図１４】図１４は、ＩＷＢのハードウェア構成を示す図である。
【図１５】図１５は、端末装置のハードウェア構成を示す図である。
【図１６】図１６は、会議支援装置のハードウェア構成を示す図である。
【発明を実施するための形態】
【０００９】
以下、図面を参照しながら実施形態に係る会議システム１０について詳細に説明する。会議システム１０は、会議での複数のユーザによる討議を支援するためのシステムである。例えば、会議システム１０は、所定の場所（例えば会社内の会議室）において会議に参加するユーザと、遠隔地（例えば、在宅勤務者の家庭）において会議に参加するユーザとの間のコミュニケーションを支援する。
【００１０】
（第１実施形態）
図１は、第１実施形態に係る会議システム１０を示す図である。会議システム１０は、複数のユーザのそれぞれが用いる複数の端末装置２０と、インタラクティブホワイトボード（ＩＷＢ）２２と、会議支援装置３０とを備える。
【００１１】
複数の端末装置２０のそれぞれは、ネットワークを介して会議支援装置３０と接続可能である。ネットワークは、例えば、ＬＡＮ（Local  Area  Network）、ＶＰＮ（Virtual  Private  Network）またはＬＡＮがルータを介して接続されたＷＡＮ（Wide  Area  Network）である。また、ネットワークは、インターネットまたは電話通信回線等を含んでいてもよい。また、ネットワークは、有線で構成されていてもよいし、一部または全部が無線により構成されていてもよい。
【００１２】
端末装置２０は、情報の処理機能、情報の入力機能、情報の出力機能および通信機能等を有する装置である。端末装置２０は、ノート型またはデスクトップ型等の一般的なコンピュータ、タブレット端末またはスマートフォン等であってもよい。また、端末装置２０は、電子会議を行うための専用装置であってもよい。
【００１３】
端末装置２０は、所定のアプリケーションプログラムを実行して、会議支援装置３０にアクセスする。端末装置２０は、所定のアプリケーションプログラムを用いて、会議支援装置３０から提供された情報を出力する。
【００１４】
端末装置２０は、マイクロホンを有し、会議中においてユーザ等が発した音声を集音して、音声データを生成する。また、端末装置２０は、カメラを有し、会議中においてユーザ等を撮像して、動画像データを生成する。端末装置２０は、生成した音声データおよび動画像データを会議支援装置３０に送信する。
【００１５】
ＩＷＢ２２は、電子ペンまたは手等によるディスプレイに対するユーザの操作に応じて描画データを生成し、生成した描画データを記憶する。そして、ＩＷＢ２２は、生成した描画データをディスプレイに表示する。これにより、ユーザは、壁にペンを用いて文字または図形を描くように、ＩＷＢ２２に文字または図形を描くことができる。
【００１６】
さらに、ＩＷＢ２２は、通信機能を有し、ネットワークを介して会議支援装置３０と接続可能である。ＩＷＢ２２は、例えば専用のアプリケーションプログラムを実行して、会議支援装置３０にアクセスする。ＩＷＢ２２は、会議支援装置３０から提供された情報に応じた画面を出力する。また、ＩＷＢ２２は、例えば専用のアプリケーションプログラムおよび会議支援装置３０から提供された情報に基づき動作する。
【００１７】
また、ＩＷＢ２２は、ディスプレイに表示された画像をキャプチャリングし、キャプチャリングした画像を表す機器画像データを生成する。例えば、ＩＷＢ２２は、ディスプレイに表示した画像が変化する毎に、機器画像データを生成する。ＩＷＢ２２は、生成した機器画像データを会議支援装置３０に送信する。
【００１８】
なお、会議システム１０は、文字または図形等の入力操作を受け付けて、入力された文字または図形等を表示できる機器であれば、ＩＷＢ２２以外の機器を備えてもよい。例えば、会議システム１０は、大型のディスプレイを有する情報処理装置を備えてもよい。
【００１９】
会議支援装置３０は、情報の処理機能および通信機能を有する一般的なサーバ等のコンピュータである。また、会議支援装置３０は、１個のサーバ等により構成されていてもよいし、複数のサーバ等により構成されていてもよい。
【００２０】
会議支援装置３０は、複数の端末装置２０およびＩＷＢ２２からネットワークを介してアクセスを受け付ける。そして、会議支援装置３０は、複数の端末装置２０のそれぞれおよびＩＷＢ２２に対して、要求した情報をネットワークを介して提供する。
【００２１】
また、会議支援装置３０は、複数の端末装置２０のそれぞれから、音声データおよび動画像データをネットワークを介して収集する。そして、会議支援装置３０は、収集した音声データおよび動画像データを記憶する。これにより、会議支援装置３０は、会議中におけるユーザの音声および動画像を記録し、後で再生させることができる。
【００２２】
また、会議支援装置３０は、収集した音声データおよび動画像データを、取得を要求した端末装置２０に送信することが可能である。例えば、会議支援装置３０は、収集した複数のチャネルの音声データのうち、指定されたチャネルの音声データを、取得を要求した端末装置２０に送信することができる。また、例えば、会議支援装置３０は、収集した複数のチャネルの動画像データのうち、指定されたチャネルの動画像データを、取得を要求した端末装置２０に送信することができる。端末装置２０は、所定のアプリケーションプログラムを介して音声データの出力または動画像データの表示をする。これにより、会議支援装置３０は、例えば遠隔地のユーザに、所定の場所（会議室等）の音声または動画像を提供することができる。
【００２３】
また、会議支援装置３０は、ＩＷＢ２２から機器画像データをネットワークを介して収集する。そして、会議支援装置３０は、収集した機器画像データを記憶する。これにより、会議支援装置３０は、会議中におけるＩＷＢ２２に表示された画像を記録し、後で表示させることができる。
【００２４】
また、会議支援装置３０は、収集した機器画像データを、それぞれの端末装置２０に送信する。端末装置２０は、所定のアプリケーションプログラムを介して、ＩＷＢ２２に表示された画像を表す機器画像データを表示する。これにより、会議支援装置３０は、例えば、ユーザに、ＩＷＢ２２に表示されている画像を提供することができる。
【００２５】
ここで、会議システム１０では、会議に参加する複数のユーザのそれぞれが、何れかの端末装置２０を使用する。会議支援装置３０は、端末装置２０からネットワークを介してログイン要求を受けた場合に、端末装置２０を使用しているユーザを認証する。これにより、会議支援装置３０は、端末装置２０を使用しているユーザを特定することができる。
【００２６】
また、ＩＷＢ２２は、所定の場所（例えば会議室）に設置されている。会議支援装置３０は、ＩＷＢ２２からネットワークを介してログイン要求を受けた場合、ＩＷＢ２２を認証する。これにより、会議支援装置３０は、ＩＷＢ２２を特定することができるとともに、会議の開催場所（ＩＷＢ２２の設置場所）を特定することができる。
【００２７】
また、会議システム１０では、会議に先立って、会議に参加するそれぞれのユーザに対して、直接参加、遠隔参加および準参加の何れかを参加形態として登録する。直接参加は、ＩＷＢ２２が設置されている所定の場所（例えば会議室）において会議に参加するユーザに対して登録される参加形態である。
【００２８】
遠隔参加は、所定の場所とは異なる場所において、端末装置２０を利用して会議に参加するユーザに対して登録される参加形態である。例えば、遠隔参加は、在宅勤務をし、自宅等において会議に参加するユーザに対して登録される。
【００２９】
準参加は、会議における一部の議題について、所定の場所とは異なる場所において、端末装置２０を利用して会議に参加するユーザに対して登録される参加形態である。例えば、準参加は、子育てをしつつ在宅勤務し、自身に関連する議題について討議の内容等を確認するユーザに対して登録される。
【００３０】
なお、会議システム１０では、不参加を、参加形態に含めてもよい。不参加は、病欠または出張等により会議にはリアルタイムでは参加しないが、後で関連する情報を参照するユーザに対して登録される参加形態である。
【００３１】
図２は、会議システム１０の機能構成を示す図である。
【００３２】
ＩＷＢ２２は、第１通信部４２と、操作入力部４４と、画面表示部４６と、画像生成部４８とを有する。ＩＷＢ２２は、プロセッサが例えば所定のアプリケーションプログラムを実行することにより、第１通信部４２、操作入力部４４、画面表示部４６および画像生成部４８として機能する。
【００３３】
第１通信部４２は、会議支援装置３０とネットワークを介して通信をする。操作入力部４４は、ディスプレイに対する、電子ペンまたは手等による入力操作を受け付ける。画面表示部４６は、会議支援装置３０から取得したデータに基づき、ディスプレイに情報を表示する。例えば、画面表示部４６は、会議支援装置３０から第１通信部４２を介して受信した画面データに基づき、ディスプレイに所定の画面を表示する。また、画面表示部４６は、操作入力部４４が受け付けた入力操作に応じて、ディスプレイに文字または図形等を表示する。また、画面表示部４６は、操作入力部４４が受け付けた入力操作に応じて、ディスプレイに表示された画面を変化させる。
【００３４】
画像生成部４８は、ディスプレイに表示された画像をキャプチャリングして、ディスプレイに表示された画像を表す機器画像データを生成する。例えば、画像生成部４８は、ディスプレイに表示した画像が変化する毎に、機器画像データを生成する。第１通信部４２は、画像生成部４８が生成した機器画像データを会議支援装置３０に送信する。
【００３５】
端末装置２０は、第２通信部５０と、集音部５２と、撮像部５４と、入力部５６と、表示部５８と、音声出力部６０とを有する。端末装置２０は、プロセッサが例えば所定のアプリケーションプログラムを実行することにより、第２通信部５０、集音部５２、撮像部５４、入力部５６、表示部５８および音声出力部６０として機能する。
【００３６】
第２通信部５０は、会議支援装置３０とネットワークを介して通信をする。集音部５２は、周囲の音声を集音した音声信号に基づき、周囲の音声を表す音声データを生成する。撮像部５４は、周囲の被写体を撮像した撮像信号に基づき、周囲の被写体の画像を表す動画像データを生成する。入力部５６は、ユーザの入力操作を受け付ける。第２通信部５０は、生成した音声データ、生成した動画像データおよびユーザによる操作情報を会議支援装置３０に送信する。
【００３７】
表示部５８は、会議支援装置３０から取得したデータに基づき、ディスプレイに情報を表示する。例えば、表示部５８は、会議支援装置３０から第２通信部５０を介して受信した画面データに基づき、ディスプレイに所定の画面を表示する。また、例えば、表示部５８は、会議支援装置３０から取得した動画像データをディスプレイに表示する。また、例えば、表示部５８は、会議支援装置３０から取得した、ＩＷＢ２２に表示された画像を表す機器画像データをディスプレイに表示する。また、表示部５８は、入力部５６が受け付けた入力操作に応じて、ディスプレイに表示された画面を変化させる。音声出力部６０は、会議支援装置３０から第２通信部５０を介して受信した音声データに応じた音声を、スピーカから出力させる。
【００３８】
会議支援装置３０は、第３通信部６２と、情報記憶部６４と、機器画面提供部７０と、端末画面提供部７２と、機器操作受付部７４と、端末操作受付部７６と、機器画像収集部７８と、機器画像提供部８０と、音声収集部８２と、音声提供部８４と、動画像収集部８６と、動画像提供部８８と、会議処理部９０とを有する。会議支援装置３０は、プロセッサが例えば所定のアプリケーションプログラムを実行することにより、第３通信部６２、機器画面提供部７０、端末画面提供部７２、機器操作受付部７４、端末操作受付部７６、機器画像収集部７８、機器画像提供部８０、音声収集部８２、音声提供部８４、動画像収集部８６、動画像提供部８８および会議処理部９０として機能する。
【００３９】
第３通信部６２は、ＩＷＢ２２およびそれぞれの端末装置２０とネットワークを介して通信する。情報記憶部６４は、会議支援装置３０で用いる各種の画面データおよび会議において使用する管理データを記憶する。
【００４０】
機器画面提供部７０は、ＩＷＢ２２に画面データを送信して、ＩＷＢ２２に各種の操作用の画面等を表示させる。端末画面提供部７２は、それぞれの端末装置２０に画面データを送信して、端末装置２０に各種の操作用の画面等を表示させる。
【００４１】
機器操作受付部７４は、ＩＷＢ２２から操作情報を受信して、ＩＷＢ２２に対して提供した画面に対するユーザの操作を受け付ける。端末操作受付部７６は、端末装置２０から操作情報を受信して、端末装置２０に対して提供した画面に対するユーザの操作を受け付ける。
【００４２】
機器画像収集部７８は、ＩＷＢ２２から、ＩＷＢ２２のディスプレイに表示された画像を表す機器画像データを収集する。機器画像収集部７８は、収集した機器画像データをタイムスタンプ等を付加して情報記憶部６４に記憶させる。
【００４３】
機器画像提供部８０は、機器画像収集部７８が収集した機器画像データをそれぞれの端末装置２０に送信する。これにより、機器画像提供部８０は、会議中において、ＩＷＢ２２に表示された画像をそれぞれの端末装置２０に表示させることができる。また、機器画像提供部８０は、過去の機器画像データの取得要求を端末装置２０から受けた場合には、情報記憶部６４から指定された時刻の機器画像データを読み出して、要求元の端末装置２０に送信する。これにより、機器画像提供部８０は、会議後または会議中において、ＩＷＢ２２に表示された過去の画像を端末装置２０に表示させることができる。
【００４４】
音声収集部８２は、それぞれの端末装置２０の集音部５２が生成した、周囲の音声を表す音声データを収集する。音声収集部８２は、収集した音声データをタイムスタンプ等を付加して情報記憶部６４に記憶させる。
【００４５】
音声提供部８４は、音声データの取得要求を端末装置２０から受けた場合、音声収集部８２が収集した音声データのうち、指定された音声データを要求元の端末装置２０に送信する。これにより、音声提供部８４は、会議中において、何れかの端末装置２０により集音された音声を、他の端末装置２０から出力させることができる。
【００４６】
また、音声提供部８４は、過去の音声データの取得要求を端末装置２０から受けた場合には、情報記憶部６４から指定された時刻の音声データを読み出して、要求元の端末装置２０に送信する。これにより、音声提供部８４は、会議後または会議中において、過去に何れかの端末装置２０により集音された音声を端末装置２０から出力させることができる。
【００４７】
動画像収集部８６は、それぞれの端末装置２０の集音部５２により集音された動画像を表す動画像データを収集する。動画像収集部８６は、収集した動画像データをタイムスタンプ等を付加して情報記憶部６４に記憶させる。
【００４８】
動画像提供部８８は、動画像データの取得要求を端末装置２０から受けた場合、動画像収集部８６が収集した動画像データのうち、指定された動画像データを端末装置２０に送信する。これにより、動画像提供部８８は、会議中において、何れかの端末装置２０により撮像された動画像を、他の端末装置２０から出力させることができる。
【００４９】
また、動画像提供部８８は、過去の動画像データの取得要求を端末装置２０から受けた場合には、情報記憶部６４から指定された時刻の動画像データを読み出して、要求元の端末装置２０に送信する。これにより、動画像提供部８８は、会議後または会議中において、過去の動画像を端末装置２０から出力させることができる。
【００５０】
会議処理部９０は、ＩＷＢ２２または端末装置２０からの要求等に応じて、会議に関する処理を実行する。例えば、会議処理部９０は、会議に先立って、会議に参加するそれぞれのユーザに対して、直接参加、遠隔参加および準参加の何れかを参加形態として登録する。
【００５１】
図３は、第１実施形態に係る音声収集部８２および音声提供部８４の機能構成を示す図である。
【００５２】
音声収集部８２は、会議において集音された音声を表す複数のチャネルの音声データを収集する。例えば、それぞれの端末装置２０は、ユーザから発せられた音声を集音して音声データを生成する。音声収集部８２は、複数の端末装置２０のそれぞれから、１つのチャネルの音声データを収集する。
【００５３】
また、端末装置２０から、会議支援装置３０に対して、音声データの送信要求を送信することができる。この場合、端末装置２０は、会議支援装置３０が収集した複数のチャネルの音声データのうちの、何れか１つのチャネルの音声データに対する送信要求を送信することができる。
【００５４】
音声提供部８４は、何れかの端末装置２０から、音声データの送信要求、および、チャネルの指定を受け付ける。音声提供部８４は、複数のチャネルの音声データのうち、指定されたチャネルの音声データを、音声データの送信を要求した端末装置２０に送信する。音声データの送信要求を送信した端末装置２０は、会議支援装置３０から音声データを受信し、受信した音声データを出力する。
【００５５】
なお、遠隔参加および準参加により会議に参加するユーザが使用する端末装置２０が、会議支援装置３０に対して、音声データの送信要求を送信してもよい。この場合、音声提供部８４は、遠隔参加および準参加により会議に参加するユーザが使用する端末装置２０に対して、指定されたチャネルの音声データを送信する。これにより、音声提供部８４は、遠隔地において会議に参加しているユーザに対して、聞き取りやすい音声データを提供することができる。
【００５６】
具体的には、音声収集部８２は、受信部１４２と、書込部１４４とを含む。音声提供部８４は、選択部１５２と、送信部１５４と、読出部１５６とを含む。
【００５７】
受信部１４２は、複数のチャネルの音声データを受信する。具体的には、受信部１４２は、複数の端末装置２０のそれぞれから、音声を集音して生成した音声データをネットワークを介して受信する。
【００５８】
書込部１４４は、受信した複数のチャネルの音声データを、チャネル毎に情報記憶部６４に書き込む。これにより、情報記憶部６４は、会議において集音された音声を表す複数のチャネルの音声データを記憶することができる。
【００５９】
選択部１５２は、何れかの端末装置２０から音声データの送信要求を取得する。これとともに、選択部１５２は、端末装置２０から、送信すべき音声データのチャネルの指定も受け付ける。なお、選択部１５２は、端末操作受付部７６を介して、端末装置２０から音声データの送信要求およびチャネルの指定情報を取得する。
【００６０】
選択部１５２は、受信部１４２が受信した複数のチャネルの音声データを受け取る。選択部１５２は、受け取った複数のチャネルの音声データのうち、端末装置２０に指定されたチャネルの音声データを選択する。そして、選択部１５２は、選択した音声データを送信部１５４に与える。
【００６１】
送信部１５４は、選択部１５２により選択された音声データを、送信を要求した端末装置２０にネットワークを介して送信する。これにより、端末装置２０は、会議において集音された音声を表す複数のチャネルの音声データのうち、指定したチャネルの音声データを受信して出力することができる。
【００６２】
また、読出部１５６は、何れかの端末装置２０から、過去の会議において集音された音声の送信要求を受け取る。さらに、読出部１５６は、端末装置２０から、送信すべき音声データのチャネルの指定も受け付ける。この場合、読出部１５６は、端末操作受付部７６を介して、端末装置２０から音声データの送信要求、および、チャネルの指定情報を取得する。そして、読出部１５６は、指定されたチャネルの音声データを情報記憶部６４から読み出して、送信部１５４に送信する。
【００６３】
送信部１５４は、読出部１５６により読み出された音声データを、送信を要求した端末装置２０にネットワークを介して送信する。これにより、端末装置２０は、過去の会議において集音された音声を表す音声データを受信して出力することができる。
【００６４】
図４は、会議の開始時の会議システム１０の処理の流れを示すシーケンス図である。会議システム１０は、会議の開始時において、図４に示す流れで処理を実行する。
【００６５】
まず、会議に参加している何れかのユーザが、ＩＷＢ２２を用いて会議支援装置３０へのログイン操作をする。ログイン操作がされると、ＩＷＢ２２は、ログイン情報を会議支援装置３０に送信する（Ｓ４０１）。会議支援装置３０は、ＩＷＢ２２の認証が成功すると、ＩＷＢ２２に機器用会議画面データを送信する（Ｓ４０２）。
【００６６】
ＩＷＢ２２は、機器用会議画面データを受信すると、機器用会議画面５５０（詳細は図５を参照して後述）を表示する（Ｓ４０３）。また、会議支援装置３０は、機器用会議画面データを送信すると、以後、ＩＷＢ２２から、ＩＷＢ２２に表示された画像を表す機器画像データを受信して、記録を開始する（Ｓ４０４）。
【００６７】
また、会議に参加しているそれぞれのユーザは、自身が使用している端末装置２０を用いて会議支援装置３０へのログイン操作をする。ログイン操作がされると、それぞれの端末装置２０は、ログイン情報を会議支援装置３０に送信する（Ｓ４０５−１、Ｓ４０５−２）。会議支援装置３０は、端末装置２０の認証が成功すると、端末装置２０に端末用会議画面データを送信する（Ｓ４０６−１、Ｓ４０６−２）。
【００６８】
それぞれの端末装置２０は、端末用会議画面データを受信すると、端末用会議画面６５０（詳細は図６を参照して後述）を表示する（Ｓ４０７−１、Ｓ４０７−２）。また、会議支援装置３０は、端末用会議画面データを送信すると、以後、それぞれの端末装置２０から送信された音声データおよび動画像データの記録を受信して、記録を開始する（Ｓ４０８−１、Ｓ４０８−２）。
【００６９】
図５は、機器用会議画面５５０の一例を示す図である。機器画面提供部７０は、会議が開始された場合、ＩＷＢ２２に画面データを送信して、例えば、図５に示すような機器用会議画面５５０を表示させる。
【００７０】
例えば、機器用会議画面５５０には、各種の操作用のボタンが設けられている。これらのボタンが操作されることにより、ＩＷＢ２２は、所定の処理を実行する。
【００７１】
また、機器用会議画面５５０は、文字または図形等を描画できる作業領域を有する。ユーザが例えば電子ペンを用いて作業領域に描画することにより、ＩＷＢ２２は、作業領域に、ユーザの描画内容を表す描画データを表示する。ＩＷＢ２２は、ディスプレイに表示した画像が変化する毎に、画像をキャプチャリングして機器画像データを生成する。そして、ＩＷＢ２２は、生成した機器画像データを会議支援装置３０に送信する。会議支援装置３０は、ＩＷＢ２２から機器画像データを受信して、記憶する。
【００７２】
図６は、端末用会議画面６５０の一例を示す図である。端末画面提供部７２は、会議が開始された場合、画面データを送信して、例えば、図６に示すような端末用会議画面６５０を表示させる。例えば、端末画面提供部７２は、遠隔参加または準参加により参加するユーザが使用する端末装置２０に、図６に示すような端末用会議画面６５０を表示させる。
【００７３】
操作インターフェイス領域６６０は、会議支援装置３０が収集した複数のチャネルの音声データのうちから、１つのチャネルの音声データを指定させるための操作インターフェイスを含む。例えば、操作インターフェイス領域６６０は、会議支援装置３０が受信している複数のチャネルの音声データうちから、１つのチャネルの音声データを指定するための複数のチャネルボタン６７０を含む。
【００７４】
複数のチャネルボタン６７０のそれぞれは、会議支援装置３０が受信している、何れかの音声データのチャネルに対応している。例えば、それぞれのチャネルボタン６７０には、対応するチャネル番号が表示されている。ユーザは、複数のチャネルボタン６７０のうちの何れか１つを押下することにより、１つの音声データのチャネルを指定することができる。
【００７５】
ユーザにより何れか１つのチャネルが指定された場合、端末装置２０は、音声データの送信要求およびチャネルを指定する情報を、ネットワークを介して会議支援装置３０に送信する。会議支援装置３０の音声提供部８４は、端末装置２０から音声データの送信要求およびチャネルを指定する情報を受信した場合、指定されたチャネルの音声データを、端末装置２０に送信する。そして、端末装置２０は、会議支援装置３０から音声データを受信し、受信した音声データに応じた音声を出力する。これにより、端末装置２０は、指定したチャネルの音声データを出力することができる。
【００７６】
また、操作インターフェイス領域６６０は、会議中において、任意のタイミングでユーザからチャネルの指定を受け付けることができる。これにより、端末装置２０は、会議中において、音声データの音声が小さくなった場合、出力させる音声データのチャネルを切り替えることができる。
【００７７】
機器画像６６２は、ＩＷＢ２２に表示されている画像である。端末装置２０は、会議支援装置３０から、ＩＷＢ２２に表示されている画像を表す機器画像データを受信する。そして、端末装置２０は、受信した機器画像データを、機器画像６６２として表示する。これにより、端末装置２０は、ユーザに、ＩＷＢ２２に表示されている画像を認識させることができる。
【００７８】
トークボタン６６４は、端末装置２０を使用しているユーザの音声を、他のユーザに伝えるためのボタンである。端末装置２０は、トークボタン６６４が押下されている間において、音声を集音し、集音した音声を表す音声データを生成する。そして、端末装置２０は、生成した音声データを会議支援装置３０にネットワークを介して送信する。会議支援装置３０は、端末装置２０から受信した音声データを記録するとともに、他の端末装置２０へとネットワークを介して送信する。これにより、会議支援装置３０は、端末装置２０を使用しているユーザの音声を、他のユーザに伝えることができる。
【００７９】
ボタン群６６６は、端末装置２０を使用しているユーザにより操作されるボタンを含む。例えば、ボタン群６６６は、会議中における任意の位置にマーキングをするためのマークボタン、音声のテキストデータを取得するためのテキストボタン、および、他のユーザに任意のアイコンを送信するためのアイコンボタン等を含む。
【００８０】
図７は、チャネル時における会議支援装置３０の処理の流れを示すフローチャートである。何れかの端末装置２０に対して音声データを出力する場合、会議支援装置３０は、図７に示す流れで処理を実行する。
【００８１】
まず、対象の端末装置２０に対して音声データを出力している状態において、会議支援装置３０は、対象の端末装置２０においてチャネルの変更操作がされたか否かを判断する（Ｓ４１１）。チャネルの変更操作がされていない場合（Ｓ４１１のＮｏ）、会議支援装置３０は、処理をＳ４１１で待機する。チャネルの変更操作がされた場合（Ｓ４１１のＹｅｓ）、会議支援装置３０は、処理をＳ４１２に進める。
【００８２】
Ｓ４１２において、会議支援装置３０は、受信している複数のチャネルのうち、チャネルの変更操作により指定されたチャネルの音声データを選択する。続いて、Ｓ４１３において、会議支援装置３０は、選択した音声データを、対象の端末装置２０にネットワークを介して送信する。
【００８３】
以上のように、本実施形態に係る会議支援装置３０は、端末装置２０を使用するユーザが指定したチャネルの音声データを、その端末装置２０に送信して出力させる。これにより、会議支援装置３０は、会議において、端末装置２０を使用するユーザに適切な音声を提供することができる。例えば、会議支援装置３０は、会議において、端末装置２０を使用するユーザに、聞き取りやすい音声を提供することができる。
【００８４】
図８は、端末用会議画面６５０の第１変形例を示す図である。端末画面提供部７２は、会議に参加している他のユーザを指定するための操作インターフェイスを含む端末用会議画面６５０を、端末装置２０に表示させてもよい。
【００８５】
例えば、図８に示すように、端末画面提供部７２は、それぞれのチャネルボタン６７０に、対応するユーザを識別する情報を表示させてもよい。ユーザを識別する情報は、例えば、ユーザの顔の画像であってよい。また、ユーザを識別する情報は、ユーザ名またはユーザを識別するアイコン等であってもよい。
【００８６】
操作インターフェイス領域６６０を操作することにより何れか１つのユーザが指定された場合、端末装置２０は、音声データの送信要求および指定されたユーザを識別する情報を、ネットワークを介して会議支援装置３０に送信する。会議支援装置３０の音声提供部８４は、端末装置２０から音声データの送信要求およびユーザを識別する情報を受信した場合、ユーザを識別する情報から、対応する音声データのチャネルを特定する。そして、会議支援装置３０の音声提供部８４は、特定したチャネルの音声データを、端末装置２０に送信する。
【００８７】
端末装置２０は、会議支援装置３０から音声データを受信し、受信した音声データに応じた音声を出力する。これにより、端末装置２０は、ユーザを指定することにより、そのユーザが発声している音声を出力することができる。
【００８８】
図９は、端末用会議画面６５０の第２変形例を示す図である。端末画面提供部７２は、複数のチャネルの音声データのそれぞれの音量を表す操作インターフェイスを含む端末用会議画面６５０を、端末装置２０に表示させてもよい。
【００８９】
例えば、図９に示すように、端末画面提供部７２は、それぞれのチャネルボタン６７０に、音声データのリアルタイムの音量を表すゲージを表示させてもよい。これにより、端末画面提供部７２は、現在発話しているユーザの音声が含まれる音声データのチャネルを、ユーザに指定させることができる。
【００９０】
また、端末装置２０は、ユーザによりチャネルの選択がされなかった場合には、音量が最も大きいチャネルの音声データを自動的に指定してもよい。また、音量が最も大きいチャネルの音声データを自動的に指定する処理を、端末装置２０に代わり、会議支援装置３０の音声提供部８４が実行してもよい。これにより、端末装置２０は、ユーザによりチャネルの指定がされなくても、最も音量が大きいチャネルの音声データを自動的に出力することができる。
【００９１】
図１０は、端末用会議画面６５０の第３変形例を示す図である。また、例えば、図１０に示すように、端末画面提供部７２は、それぞれのチャネルボタン６７０に、音声データの音量波形を表示させてもよい。このようにしても、端末画面提供部７２は、現在発話しているユーザの音声が含まれる音声データのチャネルを、ユーザに指定させることができる。
【００９２】
（第２実施形態）
図１１は、第２実施形態に係る会議システム１０を示す図である。第２実施形態に係る会議システム１０は、図１から図１０を参照して説明した第１実施形態に係る会議システム１０と略同一の構成および機能を有する。従って、第２実施形態に係る会議システム１０は、略同一の機能を有するブロックについては同一の符号を付けて、相違点を除き説明を省略する。第３実施形態に係る会議システム１０についても同様である。
【００９３】
第２実施形態に係る会議システム１０は、マイクロホンアレイ１６０をさらに備える。マイクロホンアレイ１６０は、ネットワークを介して会議支援装置３０に接続される。また、マイクロホンアレイ１６０は、ＩＷＢ２２に接続され、ＩＷＢ２２を介して会議支援装置３０に音声データを送信してもよい。
【００９４】
マイクロホンアレイ１６０は、互いに異なる方向の音声を集音する複数のマイクロホンを含む。マイクロホンアレイ１６０は、複数のマイクロホンにより集音された、異なる方向の音声を表す複数のチャネルの音声データを出力する。そして、会議支援装置３０は、マイクロホンアレイ１６０から出力された複数のチャネルの音声データを取得する。
【００９５】
マイクロホンアレイ１６０は、ＩＷＢ２２が設置されている場所（例えば、会議室）に設置される。マイクロホンアレイ１６０に含まれるそれぞれのマイクロホンは、高い指向性を有する。従って、マイクロホンアレイ１６０は、音量が大きい音声を検出したマイクロホンを特定することにより、音声が発せられた方向を特定することができる。
【００９６】
図１２は、第２実施形態に係る音声収集部８２および音声提供部８４の機能構成を示す図である。
【００９７】
第２実施形態に係る音声収集部８２は、音声生成部１６２をさらに有する。音声生成部１６２は、マイクロホンアレイ１６０から出力された複数のチャネルの音声データを取得する。音声生成部１６２は、マイクロホンアレイ１６０から取得した複数のチャネルの音声データに基づき、所定方向からの音声を表す１以上のチャネルの音声データを生成する。ここで、例えば、所定方向からの音声は、会議に参加しているユーザの方向である。
【００９８】
例えば、マイクロホンアレイ１６０は、会議に参加しているそれぞれのユーザが発声している音声を、そのユーザの方向へ向いている一部のマイクロホンが高い感度で集音する。従って、音声生成部１６２は、マイクロホンアレイ１６０から出力された複数のチャネルの音声データのうち、例えば、音量の大きいチャネルの音声データを抽出することにより、個別のユーザが発声した音声を表す音声データを生成することができる。また、音声生成部１６２は、音量の大きいチャネルの音声データと、指向性の方向が隣接するチャネルの音声データとを合成して、１つのチャネルの音声データを生成してもよい。
【００９９】
書込部１４４は、音声生成部１６２が生成した１以上のチャネルの音声データ、および、受信部１４２が受信した複数のチャネルの音声データを、チャネル毎に情報記憶部６４に書き込む。
【０１００】
選択部１５２は、端末装置２０から、送信すべき音声データのチャネルの指定を受け付ける。この場合、音声生成部１６２により生成された音声データのチャネル、および、受信部１４２により受信された音声データのチャネルのうちの、何れか１つのチャネルの指定を受け付ける。
【０１０１】
選択部１５２は、音声生成部１６２が生成した１以上のチャネルの音声データ、および、受信部１４２が受信した複数のチャネルの音声データを受け取る。選択部１５２は、受け取った複数のチャネルの音声データのうち、端末装置２０に指定されたチャネルの音声データを選択する。そして、選択部１５２は、選択した音声データを送信部１５４に与える。これにより、本実施形態に係る端末装置２０によれば、マイクロホンアレイ１６０により集音された音声データを受信して出力することができる。
【０１０２】
このように、本実施形態に係る会議支援装置３０は、マイクロホンアレイ１６０により集音された音声データを端末装置２０に送信して出力させることができる。これにより、会議支援装置３０は、端末装置２０を使用するユーザにさらに適切な音声を提供することができる。
【０１０３】
（第３実施形態）
図１３は、第３実施形態に係る音声収集部８２および音声提供部８４の機能構成を示す図である。第３実施形態に係る音声提供部８４は、合成部１７０をさらに有する。
【０１０４】
第３実施形態において、選択部１５２は、端末装置２０から、送信すべき音声データのチャネルとして、２以上のチャネルの指定も受け付けることが可能である。選択部１５２は、２以上のチャネルの音声データの指定を受け付けた場合、指定された２以上のチャネルの音声データを出力する。
【０１０５】
合成部１７０は、選択部１５２が２以上のチャネルの音声データの指定を受け付けた場合、選択部１５２から出力された２以上のチャネルの音声データを合成して、１つのチャネルの音声データを出力する。なお、合成部１７０は、選択部１５２が１つのチャネルの音声データの指定を受け付けた場合には、選択部１５２から出力された１つのチャネルの音声データをそのまま出力する。送信部１５４は、合成部１７０から出力された１つのチャネルの音声データを、送信を要求した端末装置２０にネットワークを介して送信する。
【０１０６】
このように、第３実施形態に係る端末装置２０は、２以上のチャネルの音声データを合成した音声データを、端末装置２０に送信して出力させることができる。これにより、会議支援装置３０は、端末装置２０を使用するユーザにさらに適切な音声を提供することができる。
【０１０７】
（ハードウェア構成）
図１４は、ＩＷＢ２２のハードウェア構成の一例を示す図である。ＩＷＢ２２は、ＣＰＵ（Central  Processing  Unit）７２１と、ＲＯＭ（Read  Only  Memory）７２２と、ＲＡＭ（Random  Access  Memory）７２３と、フラッシュメモリ７２４と、ＳＳＤ（Solid  State  Drive）７２５と、ＨＤ（Hard  Disk）７２６と、ＨＤＤ（Hard  Disk  Drive）７２７と、ネットワークＩ／Ｆ７２８と、メディアドライブ７２９と、音声入出力Ｉ／Ｆ７３１と、画像入力Ｉ／Ｆ７３２と、キャプチャデバイス７３３と、ＧＰＵ（Graphics  Processing  Unit）７３４と、ディスプレイ７２０と、ディスプレイコントローラ７３５と、接触センサ７３６と、センサコントローラ７３７と、電子ペンコントローラ７３８と、バスライン７４０とを備える。
【０１０８】
ＣＰＵ７２１は、ＩＷＢ２２の全体の動作を制御する。ＲＯＭ７２２は、ＣＰＵ７２１により実行されるプログラムを記憶する。ＲＡＭ７２３は、ＣＰＵ７２１のワークエリアとして使用される。フラッシュメモリ７２４は、ＩＷＢ２２用の制御プログラム等の各種データを記憶する。ＩＷＢ２２は、フラッシュメモリ７２４に代えて、ＥＥＰＲＯＭ等を備えてもよい。ＳＳＤ７２５は、ＣＰＵ７２１の制御に従ってフラッシュメモリ７２４に対する各種データの読み出しまたは書き込みを制御する。
【０１０９】
ＨＤ７２６は、ＣＰＵ７２１により実行されるデータおよびプログラム等を記憶する。ＨＤＤ７２７は、ＣＰＵ７２１の制御に従ってＨＤ７２６に対する各種データの読み出しまたは書き込みを制御する。
【０１１０】
ネットワークＩ／Ｆ７２８は、ネットワークを介した通信を制御する。メディアドライブ７２９は、ＩＷＢ２２に対して着脱可能なフラッシュメモリ等の記録メディアに対するデータの読み出しまたは書き込み（記憶）を制御する。音声入出力Ｉ／Ｆ７３１は、ＣＰＵ７２１の制御に従ってマイクロフォンスピーカ等との間で音信号の入出力を処理する。
【０１１１】
画像入力Ｉ／Ｆ７３２は、カメラにより撮像された画像を入力する。キャプチャデバイス７３３は、ディスプレイ７２０に表示された静止画または動画を取り込む。ＧＰＵ７３４は、グラフィクス処理を実行する。ＧＰＵ７３４は、ユーザにより入力された情報に応じた画像の描画処理を実行する。また、ＧＰＵ７３４は、描画した画像と、ＣＰＵ７２１がプログラムを実行することにより表示される画像およびカメラから入力した画像とを合成する処理等を実行する。ディスプレイ７２０は、情報を表示する。例えば、ディスプレイ７２０は、フラットパネルディスプレイである。ディスプレイコントローラ７３５は、ＧＰＵ７３４からの出力画像をディスプレイ７２０へ出力するために画面表示の制御および管理を行う。
【０１１２】
接触センサ７３６は、電子ペンまたはユーザの手によるディスプレイ７２０に対する接触の操作および情報の入力を検知する。センサコントローラ７３７は、ＣＰＵ７２１の制御に従って接触センサ７３６の処理を制御する。
【０１１３】
電子ペンコントローラ７３８は、電子ペンと通信することで、ディスプレイ７２０へのペン先のタッチやペン尻のタッチの有無を判断する。なお、電子ペンコントローラ７３８が、電子ペンのペン先およびペン尻だけでなく、電子ペンのユーザが握る部分またはその他の電子ペンの部分のタッチの有無を判断するようにしてもよい。
【０１１４】
バスライン７４０は、各構成要素の間を接続するためのアドレスバスおよびデータバス等である。
【０１１５】
図１５は、端末装置２０のハードウェア構成の一例を示す図である。端末装置２０は、ＣＰＵ８２１と、ＲＯＭ８２２と、ＲＡＭ８２３と、フラッシュメモリ８２４と、ＳＳＤ８２５と、電源スイッチ８２６と、ネットワークＩ／Ｆ８３１と、カメラ８３２と、撮像素子Ｉ／Ｆ８３３と、マイクロホン８３４と、スピーカ８３５と、音声入出力Ｉ／Ｆ８３６と、タッチパネルディスプレイ８２０と、ディスプレイＩ／Ｆ８３８と、入力Ｉ／Ｆ８３９と、バスライン８４０とを備える。
【０１１６】
ＣＰＵ８２１は、端末装置２０の全体の動作を制御する。ＲＯＭ８２２は、ＣＰＵ８２１により実行されるプログラムを記憶する。ＲＡＭ８２３は、ＣＰＵ８２１のワークエリアとして使用される。フラッシュメモリ８２４は、端末装置２０用の制御プログラムおよび画像データ等の各種データを記憶する。端末装置２０は、フラッシュメモリ８２４に代えて、ＥＥＰＲＯＭ等を備えてもよい。ＳＳＤ８２５は、ＣＰＵ８２１の制御に従ってフラッシュメモリ８２４に対する各種データの読み出しまたは書き込みを制御する。電源スイッチ８２６は、端末装置２０の電源のオン／オフを切り換えるためのボタンである。
【０１１７】
ネットワークＩ／Ｆ８３１は、ネットワークを介した通信を制御する。カメラ８３２は、ＣＰＵ８２１の制御に従って被写体を撮像して画像データを得る。撮像素子Ｉ／Ｆ８３３は、カメラ８３２の駆動を制御する。マイクロホン８３４は、音を入力する。スピーカ８３５は、音を出力する。音声入出力Ｉ／Ｆ８３６は、ＣＰＵ８２１の制御に従ってマイクロホン８３４およびスピーカ８３５との間で音信号の入出力を処理する。
【０１１８】
タッチパネルディスプレイ８２０は、画像データに応じた画像および操作用アイコン等を表示する。さらに、タッチパネルディスプレイ８２０は、画面上にされた操作入力を受け付ける。ディスプレイＩ／Ｆ８３８は、ＣＰＵ８２１の制御に従ってタッチパネルディスプレイ８２０に画像データを伝送する。入力Ｉ／Ｆ８３９は、タッチパネルディスプレイ８２０に対してされた操作入力を検出する。バスライン８４０は、各構成要素の間を接続するためのアドレスバスおよびデータバス等である。
【０１１９】
なお、端末装置２０がノート型コンピュータ等である場合には、端末装置２０は、タッチパネルディスプレイ８２０に代えて、入力機能を有さないディスプレイを備えてもよい。この場合、端末装置２０は、キーボードおよびマウス等の入力デバイスを有する。
【０１２０】
図１６は、会議支援装置３０のハードウェア構成の一例を示す図である。会議支援装置３０は、コンピュータまたはサーバ装置等の情報処理装置である。
【０１２１】
会議支援装置３０は、ＣＰＵ９２１と、ＲＯＭ９２２と、ＲＡＭ９２３と、ネットワークＩ／Ｆ９２４と、記憶装置９２５とを備える。ＣＰＵ９２１は、会議支援装置３０の全体の動作を制御する。ＲＯＭ９２２は、ＣＰＵ９２１により実行されるプログラムを記憶する。ＲＡＭ９２３は、ＣＰＵ９２１のワークエリアとして使用される。
【０１２２】
ネットワークＩ／Ｆ９２４は、ネットワークを介した通信を制御する。記憶装置９２５は、例えばハードディスクドライブ等である。記憶装置９２５は、会議支援装置３０用の制御プログラムおよび会議支援装置３０が参照する各種のデータを記憶する。また、記憶装置９２５は、会議を支援するために必要な各種の管理データ、および、会議において記録される音声データ、動画像データおよび機器画像データを記憶する。
【０１２３】
本実施形態の会議支援装置３０で実行されるプログラムは、インストール可能な形式または実行可能な形式のファイルでＣＤ−ＲＯＭ、フレキシブルディスク（ＦＤ）、ＣＤ−Ｒ、ＤＶＤ等のコンピュータで読み取り可能な記録媒体に記録されて提供される。
【０１２４】
また、本実施形態の会議支援装置３０で実行されるプログラムを、インターネット等のネットワークに接続されたコンピュータ上に格納し、ネットワーク経由でダウンロードさせることにより提供するように構成してもよい。また、本実施形態の会議支援装置３０で実行されるプログラムをインターネット等のネットワーク経由で提供または配布するように構成してもよい。また、本実施形態のプログラムを、ＲＯＭ９２２等に予め組み込んで提供するように構成してもよい。
【０１２５】
コンピュータを会議支援装置３０として機能させるためのプログラムは、機器画面提供モジュールと、端末画面提供モジュールと、機器操作受付モジュールと、端末操作受付モジュールと、機器画像収集モジュールと、機器画像提供モジュールと、音声収集モジュールと、音声提供モジュールと、動画像収集モジュールと、動画像提供モジュールと、会議処理モジュールとを有する。
【０１２６】
会議支援装置３０は、実際のハードウェアとしてはプロセッサ（ＣＰＵ９２１）が記憶媒体（記憶装置９２５等）からプログラムを読み出して実行することにより上記各部が主記憶装置（ＲＡＭ９２３）上にロードされる。そして、プロセッサ（ＣＰＵ９２１）が、機器画面提供部７０、端末画面提供部７２、機器操作受付部７４、端末操作受付部７６、機器画像収集部７８、機器画像提供部８０、音声収集部８２、音声提供部８４、動画像収集部８６、動画像提供部８８、会議処理部９０として機能する。
【０１２７】
以上、本発明の実施形態を説明したが、実施形態は、例として提示したものであり、発明の範囲を限定することは意図していない。これら新規な実施形態は、その他の様々な形態で実施されることが可能である。
【符号の説明】
【０１２８】
１０  会議システム
２０  端末装置
２２  ＩＷＢ
３０  会議支援装置
４２  第１通信部
４４  操作入力部
４６  画面表示部
４８  画像生成部
５０  第２通信部
５２  集音部
５４  撮像部
５６  入力部
５８  表示部
６０  音声出力部
６２  第３通信部
６４  情報記憶部
７０  機器画面提供部
７２  端末画面提供部
７４  機器操作受付部
７６  端末操作受付部
７８  機器画像収集部
８０  機器画像提供部
８２  音声収集部
８４  音声提供部
８６  動画像収集部
８８  動画像提供部
９０  会議処理部
１４２  受信部
１４４  書込部
１５２  選択部
１５４  送信部
１５６  読出部
１６０  マイクロホンアレイ
１６２  音声生成部
１７０  合成部
５５０  機器用会議画面
６５０  端末用会議画面
６６０  操作インターフェイス領域
６６２  機器画像
６６４  トークボタン
６６６  ボタン群
６７０  チャネルボタン
【先行技術文献】
【特許文献】
【０１２９】
【特許文献１】特開２０１０−２８３８９号公報
【図１】
2018032911.tif 000003
【図２】
2018032911.tif 000004
【図３】
2018032911.tif 000005
【図４】
2018032911.tif 000006
【図５】
2018032911.tif 000007
【図６】
2018032911.tif 000008
【図７】
2018032911.tif 000009
【図８】
2018032911.tif 000010
【図９】
2018032911.tif 000011
【図１０】
2018032911.tif 000012
【図１１】
2018032911.tif 000013
【図１２】
2018032911.tif 000014
【図１３】
2018032911.tif 000015
【図１４】
2018032911.tif 000016
【図１５】
2018032911.tif 000017
【図１６】
2018032911.tif 000018